(57)【要約】【課題】再出力条件に含まれる依存項目に対応する依存先項目を再出力条件とともに表示することにより、ユーザが希望する出力条件を確実に設定することができる画像処理装置を提供する。【解決手段】出力対象の文書データと文書データの出力条件の入力を受け付ける入力制御部１０１と、受け付けた出力条件で文書データを出力する画像出力部１０３と、文書データが出力された出力条件を文書データの再出力時における出力条件として規定する再出力条件を記憶するＨＤＤ１１０と、再出力条件を操作表示部２０に表示する表示制御部１０６と、を備え、表示制御部１０６は、再出力条件のなかに、他の項目とともに設定されることが規定されている依存項目がある場合には、他の項目である依存先項目を再出力条件とともに表示すること。【選択図】図１
2010220124.tif 000002
【特許請求の範囲】
【請求項１】
出力対象の文書データと前記文書データの出力条件の入力を受け付ける入力受付部と、
受け付けた前記出力条件で前記文書データを出力する画像出力部と、
前記文書データが出力された前記出力条件を前記文書データの再出力時における前記出力条件として規定する再出力条件を記憶する記憶部と、
前記再出力条件を表示部に表示する表示制御部と、を備え、
前記表示制御部は、前記再出力条件のなかに、他の項目とともに設定されることが規定されている依存項目がある場合には、前記他の項目である依存先項目を前記再出力条件とともに表示すること、
を特徴とする画像処理装置。
【請求項２】
前記記憶部は、前記依存項目と、前記依存先項目を対応付ける依存関係規則を記憶し、
出力された前記文書データの前記再出力条件から前記項目を抽出する項目抽出部、
をさらに備え、
前記表示制御部は、抽出された前記項目の中に、前記依存項目が存在すると判断された場合に、前記依存関係規則から前記依存項目に対応する前記依存先項目を取得し、取得した前記依存先項目を前記再出力条件とともに前記表示部に表示すること、
を特徴とする請求項１に記載の画像処理装置。
【請求項３】
前記表示制御部は、前記依存先項目と前記再出力条件すべてを前記表示部の一画面上に表示すること、
を特徴とする請求項１または２に記載の画像処理装置。
【請求項４】
前記表示制御部は、前記依存先項目を前記再出力条件と異なる表示態様で前記表示部に表示すること、
を特徴とする請求項１から３のいずれか１つに記載の画像処理装置。
【請求項５】
前記記憶部は、前記文書データに対する複数の異なる機能に対応付けて前記機能を実行するために設定された前記再出力条件を記憶し、
前記表示制御部は、当該文書データについて記憶されている前記再出力条件すべてに共通する共通項目と、前記共通項目以外の個別の項目とを別個に表示すること、
を特徴とする請求項１から４のいずれか１つに記載の画像処理装置。
【請求項６】
前記記憶部は、複数の前記項目を、処理機能の種類を示す第１項目と、前記第１項目の具体的な処理条件を示す第２項目とに分類し、前記第２項目を前記第１項目に対応付けた項目情報を記憶し、
前記入力受付部は、出力された前記文書データの前記出力条件の中から変更対象となる前記第１項目の選択を受け付け、
前記表示制御部は、前記変更対象となる前記第１項目が選択された場合に、前記項目情報を参照して、選択された前記第１項目に対応付けられている複数の前記第２項目を取得し、前記取得した複数の前記第２項目を選択可能な形式で前記表示部に表示すること、
を特徴とする請求項５に記載の画像処理装置。
【請求項７】
前記入力受付部は、表示された前記複数の前記第２項目の中から、一つの前記第２項目を選択する入力を受け付け、
前記判断部は、選択された前記第２項目が、前記依存項目であるか否かを、前記依存関係規則を参照して判断し、
選択された前記第２項目が、前記依存項目であった場合に、前記表示制御部は、前記依存関係規則から前記依存先項目を取得し、取得した前記依存先項目を前記再出力条件とともに前記表示部に表示すること、
を特徴とする請求項６に記載の画像処理装置。
【請求項８】
取得された前記依存先項目を前記再出力条件に付加して前記記憶部に登録する登録部、
をさらに備えること、
を特徴とする請求項６または７に記載の画像処理装置。
【請求項９】
前記登録部は、選択された前記第２項目が、前記依存項目であった場合に、取得された前記依存先項目を前記再出力条件に付加して前記記憶部に登録すること、
を特徴とする請求項６から８のいずれか１つに記載の画像処理装置。
【請求項１０】
前記入力受付部は、前記依存関係規則に登録されている前記項目を変更する入力を受け付け、
前記表示制御部は、前記依存関係規則に登録されている前記項目を、入力を受け付けた前記項目に変更することを確認する画面を表示すること、
を特徴とする請求項２から９のいずれか１つに記載の画像処理装置。
【請求項１１】
前記登録部は、前記項目を変更する入力を受け付けた場合に、前記依存関係規則に登録されている前記項目を、前記入力を受け付けた前記項目に更新すること、
を特徴とする請求項９に記載の画像処理装置。
【請求項１２】
表示された前記再出力条件と前記依存先項目を前記出力条件として設定する条件設定部と、
設定された前記出力条件で、入力された前記文書データを出力する画像形成部と、
をさらに備えることを特徴とする請求項１から１１のいずれか１つに記載の画像処理装置。
【請求項１３】
抽出された前記項目を、前記出力条件を設定するための画面であって、前記出力条件が未設定の状態である設定画面に反映してプレビュー画面を生成するプレビュー画面生成部と、
を備え、
前記表示制御部は、生成された前記プレビュー画面を前記表示部に表示すること、
を特徴とする請求項２から１２のいずれか１つに記載の画像処理装置。
【請求項１４】
前記プレビュー生成部は、前記プレビュー画面を、前記文書データを処理する複数の異なる機能ごとに分けて生成し、
前記表示制御部は、生成された複数の前記プレビュー画面を前記表示部に表示すること、
を特徴とする請求項１３に記載の画像処理装置。
【請求項１５】
前記表示制御部は、前記生成された複数の前記プレビュー画面すべてを前記表示部の一画面上に表示すること、
を特徴とする請求項１３または１４に記載の画像処理装置。
【請求項１６】
前記表示制御部は、前記再出力条件が複数の前記設定画面に反映されて、複数の前記プレビュー画面が生成された場合には、前記複数の前記プレビュー画面を前記表示部に反転表示すること、
を特徴とする請求項１３から１５のいずれか１つに記載の画像処理装置。
【請求項１７】
生成された前記プレビュー画面を前記記憶部に登録する登録部、
をさらに備えること、
を特徴とする請求項１３から１６のいずれか１つに記載の画像処理装置。
【請求項１８】
表示された前記プレビュー画面に反映されている前記出力条件を設定する条件設定部と、
設定された前記出力条件で入力された前記文書データを出力する画像形成部と、
をさらに備えることを特徴とする請求項１３から１７のいずれか１つに記載の画像処理装置。
【請求項１９】
画像処理装置で実行される出力条件表示方法であって、
前記画像処理装置は、
出力対象の文書データと前記文書データの出力条件の入力を受け付ける入力受付ステップと、
受け付けた前記出力条件で前記文書データを出力する画像出力ステップと、
前記文書データが出力された前記出力条件を前記文書データの再出力時における前記出力条件として規定する再出力条件を記憶する記憶手段と、
前記再出力条件を表示部に表示する表示制御ステップと、を備え、
前記表示制御ステップは、前記再出力条件のなかに、他の項目とともに設定されることが規定されている依存項目がある場合には、前記他の項目である依存先項目を前記再出力条件とともに表示すること、
を特徴とする画像処理方法。
【請求項２０】
コンピュータを、
出力対象の文書データと前記文書データの出力条件の入力を受け付ける入力受付手段と、
受け付けた前記出力条件で前記文書データを出力する画像出力手段と、
前記文書データが出力された前記出力条件を前記文書データの再出力時における前記出力条件として規定する再出力条件を記憶する記憶手段と、
前記再出力条件を表示部に表示する表示制御手段、として機能させ、
前記表示制御手段は、前記再出力条件のなかに、他の項目とともに設定されることが規定されている依存項目がある場合には、前記他の項目である依存先項目を前記再出力条件とともに表示すること、
を特徴とする画像処理プログラム。
【発明の詳細な説明】
【技術分野】
【０００１】
本発明は、出力時に設定された出力情報を入力データと共に記録、保管し、当該出力情報を次回出力時に再利用する際に表示するユーザインターフェイス表示機能を備えた画像処理装置、画像処理方法および画像処理プログラムに関する。
【背景技術】
【０００２】
従来から、出力条件の設定処理を省略して出力対象のデータを迅速に出力するために、前回出力時における出力条件を自動的に再設定する機能を備えた画像形成装置が提案されている。
【０００３】
ここで、出力条件とは、例えば、複写機能においては原稿サイズ、原稿種類、濃度、変倍指定、集約、ステープル、パンチ、両面、ソート等の各種機能のことであり、ファクシミリ機能においては文字サイズ、原稿サイズ、原稿種類、濃度、送信相手先番号、送信日時等の処理条件のことである。
【０００４】
また、出力時に設定された出力条件を再出力時に再設定する出力条件（以下、「再出力条件」という。）として出力された文書とともに記憶しておき、再出力条件が記録されている文書の再出力時に自動的に再出力条件を設定に反映する機能を備えた画像処理装置も提案されている（例えば、特許文献１参照）。
【０００５】
具体的には、複数の文書データに共通に利用される再出力条件を予め記憶しておき、複数の文書データを蓄積し、蓄積された文書データの出力指示を受け付け、出力指示を受け付けた文書データに記憶している再出力条件を付加して出力する文書データ入出力装置が開示されている。
【発明の概要】
【発明が解決しようとする課題】
【０００６】
しかしながら、特許文献１の技術では、所定の出力条件については、設定対象として指定されると一意に決定される条件項目（以下、「依存項目」という。）があらかじめ規定されているが、特許文献１では、依存項目は表示画面に表示されなかったため、ユーザは、設定内容の詳細を確認することができなかった。
【０００７】
例えば、通常、送信先の名称は、プロトコルに対応付けて登録されているが、操作画面上で、ユーザが送信先の名称を指定した場合であっても、送信先の名称を表示するだけで、具体的な送信先プロトコルについては表示されず、誤送信等の原因となっていた。
【０００８】
本発明は、上記に鑑みてなされたものであって、再出力条件の設定内容をユーザに確認させることが可能な画像処理装置、画像処理方法および画像処理プログラムを提供する。
【課題を解決するための手段】
【０００９】
上述した課題を解決し、目的を達成するために、本発明は、出力対象の文書データと前記文書データの出力条件の入力を受け付ける入力受付部と、受け付けた前記出力条件で前記文書データを出力する画像出力部と、前記文書データが出力された前記出力条件を前記文書データの再出力時における前記出力条件として規定する再出力条件を記憶する記憶部と、前記再出力条件を表示部に表示する表示制御部と、を備え、前記表示制御部は、前記再出力条件のなかに、他の項目とともに設定されることが規定されている依存項目がある場合には、前記他の項目である依存先項目を前記再出力条件とともに表示すること、を特徴とする。
【００１０】
また、本発明は、画像処理装置で実行される出力条件表示方法であって、前記画像処理装置は、出力対象の文書データと前記文書データの出力条件の入力を受け付ける入力受付ステップと、受け付けた前記出力条件で前記文書データを出力する画像出力ステップと、前記文書データが出力された前記出力条件を前記文書データの再出力時における前記出力条件として規定する再出力条件を記憶する記憶手段と、前記再出力条件を表示部に表示する表示制御ステップと、を備え、前記表示制御ステップは、前記再出力条件のなかに、他の項目とともに設定されることが規定されている依存項目がある場合には、前記他の項目である依存先項目を前記再出力条件とともに表示すること、を特徴とする。
【００１１】
また、本発明は、コンピュータを、出力対象の文書データと前記文書データの出力条件の入力を受け付ける入力受付手段と、受け付けた前記出力条件で前記文書データを出力する画像出力手段と、前記文書データが出力された前記出力条件を前記文書データの再出力時における前記出力条件として規定する再出力条件を記憶する記憶手段と、前記再出力条件を表示部に表示する表示制御手段、として機能させ、前記表示制御手段は、前記再出力条件のなかに、他の項目とともに設定されることが規定されている依存項目がある場合には、前記他の項目である依存先項目を前記再出力条件とともに表示すること、を特徴とする。
【発明の効果】
【００１２】
本発明によれば、再出力条件の設定内容をユーザに確認させることが可能な画像処理装置、画像処理方法および画像処理プログラムを提供することができる。
【図面の簡単な説明】
【００１３】
【図１】図１は、第１の実施の形態にかかる画像処理装置のブロック図である。
【図２】図２は、再出力条件の一例を示す図である。
【図３】図３は、文書データに関する文書情報の一例を示す図である。
【図４】図４は、依存関係規則の一例を示す図である。
【図５】図５は、機能ごとの再出力条件に含まれる設定項目の一例を示す図である。
【図６】図６は、依存先項目表示処理の手順を示すフローチャートである。
【図７−１】図７−１は、依存先項目の表示例を示す図である。
【図７−２】図７−２は、依存先項目の表示例を示す図である。
【図７−３】図７−３は、依存先項目の表示例を示す図である。
【図８】図８は、依存先項目保存処理の手順を示すフローチャートである。
【図９】図９は、第２の実施の形態にかかる画像処理装置のブロック図である。
【図１０】図１０は、項目情報の一例を示す図である。
【図１１】図１１は、共通項目表示処理の手順を示すフローチャートである。
【図１２】図１２は、共通項目と個別項目が表示された画面の一例を示す図である。
【図１３】図１３は、項目変更処理の手順を示すフローチャートである。
【図１４】図１４は、変更項目の選択画面の一例を示す図である。
【図１５】図１５は、変更項目の設定確認画面の一例を示す図である。
【図１６】図１６は、第３の実施の形態にかかる画像処理装置のブロック図である。
【図１７】図１７は、基本設定画面の一例を示す図である。
【図１８】図１８は、プレビュー画面の一例を示す図である。
【図１９】図１９は、プレビュー画面生成処理の手順を示すフローチャートである。
【図２０】図２０は、第１から第３の実施の形態にかかる複合機のハードウェア構成を示すブロック図である。
【発明を実施するための形態】
【００１４】
以下に添付図面を参照して、この発明にかかる画像処理装置１００の最良な実施の形態を詳細に説明する。
【００１５】
（第１の実施の形態）
図１は、本発明の第１の実施の形態にかかる画像処理装置１００の構成を示すブロック図である。本図に示すように画像処理装置１００は、入力制御部１０１と、条件設定部１０２と、画像出力部１０３と、項目抽出部１０４と、判断部１０５と、表示制御部１０６と、登録部１０７と、ＨＤＤ（Ｈａｒｄ  Ｄｉｓｋ  Ｄｒｉｖｅ）１１０とを主に備え、操作表示部２０と接続されている。
【００１６】
ＨＤＤ１１０は、複数の文書データと、出力条件１１１と、再出力条件と、依存関係規則１１２を記憶する。
【００１７】
ここで、出力条件１１１とは、文書データの出力形式が設定された条件であり、出力における具体的な処理に関する項目で構成される。
【００１８】
また、再出力条件とは、文書データを出力した出力条件を再出力時に復元して設定する出力条件として規定する条件である。
【００１９】
また、依存関係規則１１２とは、出力条件を構成する項目であって、他の項目とともに設定することがあらかじめ規定されている依存項目と、他の項目である依存先項目とを対応付ける規則のことである。
【００２０】
図２は、再出力条件の一例を示す図である。図２では、ある文書データが、印刷、ＦＡＸ、送信それぞれの処理において設定された再出力条件が記録されている。
【００２１】
図２においては、まず、印刷処理においては、２in１、自動カラー判定、パンチ有り、自動用紙判定の４つの項目の出力条件から再出力条件が構成されている。また、ＦＡＸ処理においては、２in１、自動カラー判定、自動用紙判定、ＦＡＸ番号の４つの項目の出力条件から再出力条件が構成されている。さらに、送信処理においては、４in１、自動カラー判定、送信先パスの３つの項目の出力条件から再出力条件が構成されている。
【００２２】
図３は、ＨＤＤ１１０に保存されている文書データＡに関する文書情報を示す図である。図３に示すように、文書データＡのヘッダーには、文書名として「広告資料」、ユーザ名として「田中」、ページ情報ＩＤとして「ＩＤ＝１」、再出力条件ＩＤとして「ＩＤ＝５」が登録されている。
【００２３】
ここで、再出力条件ＩＤは、文書データに対応する再出力条件の識別情報であって、再出力条件ＩＤにリンクして再出力条件を保持している。
【００２４】
また、再出力条件ＩＤ＝５の内容として、カラー情報に「カラー」、フォーマットに「ＪＰＥＧ」、集約設定に「２in１」、送信先に「／ＺＺＺ／」が登録されている。
【００２５】
図４は、ＨＤＤ１１０に保存されている依存関係規則１１２の一例を示す図である。図４に示す依存関係規則１１２は、依存項目である「送信先：／ＺＺＺ／」を、依存先項目である「指定プロトコル：ＳＭＢ」に対応付けており、また、依存項目である「指定プロトコル：ＳＭＢ」を、依存先項目である「送信先：／ＺＺＺ／」に対応付けている。
【００２６】
つまり、送信先として「／ＺＺＺ／」が指定されると、指定プロトコルとして割り当てられている「ＳＭＢ」が選択されることを示している。同様に、指定プロトコルとして「ＳＭＢ」が指定されると、送信先として割り当てられている「／ＺＺＺ／」が選択されることを示している。
【００２７】
入力制御部１０１は、出力対象となる文書データのユーザによる入力を受け付ける。
【００２８】
項目抽出部１０４は、文書データに対応付けられている再出力条件から再出力条件を構成する項目を抽出する。
【００２９】
判断部１０５は、項目抽出部１０４により抽出された項目の中に、依存項目が存在するか否かを、依存関係規則１１２を参照して判断する。具体的には、抽出された項目が依存関係規則１１２に依存項目として登録されているか否かを検索する。
【００３０】
表示制御部１０６は、判断部１０５により依存項目が存在すると判断された場合に、依存関係規則から依存項目に対応する依存先項目を取得し、取得した依存先項目を再出力条件とともに操作表示部２０に表示する。具体的には、抽出された項目が依存関係規則１１２に依存項目として登録されている場合に、対応する依存先項目を取得し、表示する。
【００３１】
図５は、機能ごとの再出力条件に含まれる設定項目の一例を示す図である。ここで、機能とは、文書データに対して実行された処理のことである。図５では、印刷設定と、ＦＡＸ設定と、送信設定の３つの機能の再出力条件が表示されている。
【００３２】
図５に示すように、印刷設定の再出力条件には、集約に「２in１」、綴じ方に「パンチ有り」、カラー設定に「自動カラー判定」、用紙に「自動用紙判定」が登録されている。
【００３３】
また、ＦＡＸ設定の再出力条件には、集約に「２in１」、ＦＡＸ番号に「ＡＡＡ−ＢＢＢ」、カラー設定に「自動カラー判定」、用紙に「自動用紙判定」が登録されている。
【００３４】
送信設定の再出力条件には、集約に「４in１」、送信先に「／ＺＺＺ／」、カラー設定に「自動カラー判定」、用紙に「自動用紙判定」が登録されている。
【００３５】
ここで、送信先「／ＺＺＺ／」は、依存関係規則１１２に依存項目として登録されているので、表示制御部１０６は、依存先項目である「プロトコル：ＳＭＢ」を再出力条件に併せて表示している。
【００３６】
登録部１０７は、判断部１０５により依存項目が存在すると判断された場合に、表示制御部１０６により取得し、表示された依存先項目を、選択された文書データに対応付けられている再出力条件に付加してＨＤＤ１１０に登録する。
【００３７】
条件設定部１０２は、入力制御部１０１により出力対象となる文書データとして選択が受け付けられた文書データに対応付けられている再出力条件、または、表示制御部１０６により取得された依存先項目を当該再出力条件とともに、出力条件１１１として設定する。
【００３８】
画像出力部１０３は、条件設定部１０２により設定された出力条件に従って、出力対象として選択されたすべての文書データを出力する。
【００３９】
次に、以上のように構成された画像処理装置１００による依存先項目表示処理について説明する。図６は、依存先項目表示処理の手順を示すフローチャートである。
【００４０】
表示制御部１０６は、ＨＤＤ１１０に保存されている文書データを操作表示部２０に表示し、入力制御部１０１は、操作表示部２０から、ユーザによる、出力対象となる文書データの選択を受け付ける（ステップＳ６０１）。
【００４１】
表示制御部１０６は、選択された文書データに対応付けられている再出力条件を操作表示部２０の一画面上に一括表示する（ステップＳ６０２）。ここで、選択された文書データに複数の出力機能に対応付けて複数の再出力条件が設定されている場合についても、図５に示すように、すべての出力条件を一画面に表示することも可能である。
【００４２】
項目抽出部１０４は、文書データに対応付けられている再出力条件から項目を抽出する（ステップＳ６０３）。
【００４３】
判断部１０５は、抽出された項目に依存項目が含まれるか否かを判断する（ステップＳ６０４）。具体的には、判断部１０５は、依存関係規則１１２を参照し、抽出された項目が、依存関係規則１１２に依存項目として登録されているか否かを確認する。
【００４４】
表示制御部１０６は、依存項目が含まれると判断された場合には（ステップＳ６０４：Ｙｅｓ）、依存関係規則１１２から依存項目に対応する依存先項目を取得する（ステップＳ６０５）。
【００４５】
対応する依存先項目を取得すると、表示制御部１０６は、取得した依存先項目を再出力条件とともに操作表示部２０に表示する（ステップＳ６０６）。
【００４６】
図７−１から図７−３は、それぞれ依存先項目の表示例を示す図である。図７−１から図７−３に示すように、依存項目と依存先項目を、他の項目と一目で識別可能な態様で表示することにより、ユーザに依存関係を明瞭に示すことができる。
【００４７】
図７−１では、表示制御部１０６は、依存項目「／ＺＺＺ／」と、これに対応する依存先項目「プロトコル：ＳＭＢ」を他の項目と異なる色彩で表示している。
【００４８】
また、図７−２では、表示制御部１０６は、依存項目「／ＺＺＺ／」と、これに対応する依存先項目「プロトコル：ＳＭＢ」に目印「＊」を付して表示している。この目印「＊」は、依存項目と依存先項目であることを示すためのものである。
【００４９】
さらに、図７−３では、表示制御部１０６は、依存項目「／ＺＺＺ／」に対応する依存先項目「プロトコル：ＳＭＢ」を階層化して表示している。階層化表示により、依存項目の表示形態と異なる表示形態で、依存先項目を表示している。
【００５０】
条件設定部１０２は、表示された依存先項目と再出力条件を出力条件として設定する（ステップＳ６０７）。
【００５１】
画像出力部１０３は、条件設定部１０２により設定された出力条件で、出力対象となる文書データを出力し（ステップＳ６０８）、すべての処理を終了する。
【００５２】
次に、依存先項目の保存処理について説明する。図８は、依存先項目保存処理の手順を示すフローチャートである。
【００５３】
画像出力部１０３は、設定された出力条件に従って文書データを出力し（ステップＳ８０１）、表示制御部１０６は、文書データが出力された出力条件を操作表示部２０に表示する（ステップＳ８０２）。
【００５４】
項目抽出部１０４は、文書データが出力された出力条件から項目を抽出する（ステップＳ８０３）。
【００５５】
判断部１０５は、抽出された項目に依存項目が含まれるか否かを判断する（ステップＳ８０４）。具体的には、判断部１０５は、ＨＤＤ１１０に保存されている依存関係規則１１２を参照し、抽出された項目が、依存関係規則１１２に依存項目として登録されているか否かを検索する。
【００５６】
表示制御部１０６は、判断部１０５により抽出された項目に依存項目が含まれると判断された場合に（ステップＳ８０４：Ｙｅｓ）、依存関係規則から依存先項目を取得し、操作表示部２０に表示する（ステップＳ８０５）。
【００５７】
具体的には、判断部１０５により検索された依存項目に対応する依存先項目を、依存関係規則１１２から取得し、取得した依存先項目を操作表示部２０に表示する。
【００５８】
登録部１０７は、表示制御部１０６により取得された依存先項目を選択された文書データに対応付けられている再出力条件とともに、再出力条件としてＨＤＤ１１０に登録し（ステップＳ８０６）、すべての処理を終了する。
【００５９】
このように、本実施の形態によれば、依存項目を再出力条件とともに表示するので、出力条件の設定ミスを防止し、ユーザが希望する出力条件を確実に設定することができる。
【００６０】
また、このように、本実施の形態によれば、再出力条件により設定されたすべての項目を一括して表示画面に表示するので、設定された出力条件の具体的な項目をユーザが瞬時に確認することができ、出力条件の設定ミスを防止することができる。
【００６１】
また、このように、本実施の形態によれば、再出力条件が設定された項目を、ユーザが一目で判別可能な態様で表示画面上に表示することができる。
【００６２】
また、このように、本実施の形態によれば、再出力条件により設定された項目すべてを一画面上に表示することができるので、選択ミスによる誤送信を回避し、ユーザが意図する出力結果を得ることができる。
【００６３】
また、このように、本実施の形態によれば、ユーザが自動的に設定されている項目を簡便かつ容易に変更、解除することができる。
【００６４】
また、このように、本実施の形態によれば、再出力条件に含まれる項目に対応する依存項目を再出力条件とともに表示することにより、出力条件の設定ミスを防止し、ユーザが希望する出力条件を確実に設定することができる。
【００６５】
また、このように、設定された出力条件の具体的な項目をユーザが瞬時に確認することができるので、出力条件の設定ミスを防止するとともに、設定された出力条件の中から変更、解除の対象項目を容易に特定することができる。
【００６６】
（第２の実施の形態）
図９は、第２の実施の形態にかかる画像処理装置９００の構成を示すブロック図である。本図に示すように画像処理装置９００は、入力制御部１０１と、条件設定部１０２と、画像出力部１０３と、項目抽出部１０４と、判断部１０５と、表示制御部９０６と、登録部１０７と、ＨＤＤ９１０とを主に備え、操作表示部２０と接続されている。
【００６７】
第１の実施の形態にかかる画像処理装置１００では、表示制御部１０６は、複数の出力機能それぞれに対応付けられた再出力条件すべてを、単にそれぞれの出力機能に対応付けて表示していた。
【００６８】
これに対し、本実施の形態では、表示制御部９０６は、複数の出力機能の再出力条件のうち、すべての出力機能に共通する項目である共通項目と、個々の出力機能に対応付けられている項目である個別項目とを別個に表示する。
【００６９】
加えて、本実施の形態では、表示制御部９０６は、再出力条件に含まれる項目を設定変更する入力を受け付ける表示画面をも表示する。
【００７０】
なお、表示制御部９０６と、ＨＤＤ９１０以外の各部の構成および機能は第１の実施の形態にかかる画像処理装置１００と同様であるので、説明を省略する。
【００７１】
ＨＤＤ９１０は、第１の実施の形態で保存されている出力条件１１１と依存関係規則１１２に加えて、項目情報９１３をも保存する。
【００７２】
ここで、項目情報とは、出力条件を構成する複数の項目を、処理機能のカテゴリーを示す大項目と、大項目の具体的な処理条件を示す小項目とに分類する情報のことである。
【００７３】
図１０は、項目情報の一例を示す図である。図１０では、大項目となる処理機能として「カラー設定」と「集約」が登録されている。
【００７４】
大項目「カラー設定」のカテゴリーに分類される小項目として、「カラー」、「モノクロ」、「自動カラー判定」、「２色」が登録されており、大項目「集約」のカテゴリーに分類される小項目としては、「ＯＦＦ」、「２in１」、「４in１」、「１６in１」が登録されている。
【００７５】
表示制御部９０６は、選択された文書データに、複数の出力機能に対応する複数の再出力条件が対応付けられているか否かを確認し、複数の再出力条件が対応付けられている場合には、すべての再出力条件から、共通項目と個別項目を分類し、これらを別個に表示する。
【００７６】
また、表示制御部９０６は、さらに、各項目を変更可能な形式で、操作表示部２０に表示する。
【００７７】
次に、共通項目と個別項目を表示する処理について説明する。図１１は、共通項目表示処理の手順を示すフローチャートである。
【００７８】
表示制御部９０６は、ＨＤＤ１１０に保存されている文書データを操作表示部２０に表示し、入力制御部１０１は、操作表示部２０から、ユーザによる、出力対象となる文書データの選択を受け付ける（ステップＳ１１０１）。
【００７９】
表示制御部９０６は、選択された文書データに、複数の出力機能に対応する複数の再出力条件が対応付けられているか否かを確認する（ステップＳ１１０２）。
【００８０】
表示制御部９０６は、複数の出力機能に対応する複数の再出力条件が対応付けられていることを確認した場合に（ステップＳ１１０２：Ｙｅｓ）、すべての再出力条件を表示すし（ステップＳ１１０３）、すべての再出力条件に共通項目が含まれているか否かを判断する（ステップＳ１１０４）。
【００８１】
共通項目が含まれていると判断した場合に（ステップＳ１１０４：Ｙｅｓ）、表示制御部９０６は、操作表示部２０の一画面上に共通項目を一括表示する（ステップＳ１１０５）。
【００８２】
一方、共通項目が含まれていないと判断した場合には（ステップＳ１１０４：Ｎｏ）、個別項目を出力機能ごとに表示する（ステップＳ１１０７）。
【００８３】
ステップＳ１１０５に戻り、表示制御部９０６は、複数の出力機能に対応する複数の再出力条件に個別項目が含まれているか否かを確認する（ステップＳ１１０６）。
【００８４】
複数の再出力条件に個別項目が含まれていることを確認した場合には（ステップＳ１１０６：Ｙｅｓ）、表示制御部９０６は、個別項目を出力機能ごとに表示する（ステップＳ１１０７）。
【００８５】
図１２は、共通項目と個別項目が表示された画面の一例を示す図である。図１２に示すように、「印刷設定」と「ＦＡＸ設定」と「送信設定」の３つの出力機能の共通項目は、「自動カラー判定」と「自動用紙判定」であり、表示制御部９０６は、これらを共通項目として一括表示している。
【００８６】
また、表示制御部９０６は、３つの出力機能それぞれの個別項目として、「印刷設定」には、「２in１」と「パンチ有り」を、「ＦＡＸ設定」には「２in１」と「ＦＡＸ番号ＡＡＡ」を、「送信設定」には「４in１」と「送信先／ＺＺＺ」を別個に表示している。
【００８７】
ステップＳ１１０２に戻り、選択された文書データに対応する複数の再出力条件が対応付けられていない場合には（ステップＳ１１０２：Ｎｏ）、表示制御部９０６は、選択された文書データに対応付けられている再出力条件を操作表示部２０に表示し（ステップＳ１１０８）、すべての処理を終了する。
【００８８】
次に、再出力条件に含まれる項目を変更する処理について説明する。図１３は、項目変更処理の手順を示すフローチャートである。
【００８９】
入力制御部１０１は、操作表示部２０からユーザによる再出力条件に含まれる項目を変更する入力指示を受け付ける（ステップＳ１３０１）。
【００９０】
表示制御部９０６は、再出力条件に含まれる大項目と小項目を操作表示部２０に表示し（ステップＳ１３０２）、入力制御部１０１は、変更対象となる小項目が属する大項目の選択を受け付ける（ステップＳ１３０３）。
【００９１】
表示制御部９０６は、選択された大項目に属するすべての小項目を操作表示部２０に表示し（ステップＳ１３０４）、表示された小項目の中から１つの小項目の選択を受け付ける（ステップＳ１３０５）。
【００９２】
図１４は、変更項目の選択画面の一例を示す図である。図１４に示すように、共通項目のうち、変更対象としての小項目「自動カラー判定」が属する大項目「カラー設定」が選択されているので、表示制御部９０６は、大項目「カラー設定」に属するすべての小項目「カラー」、「自動判定」、「モノクロ」、「２色」を表示している。
【００９３】
同様に、個別項目については、変更対象としての小項目「２in１」が属する大項目「集約」が選択されているので、表示制御部９０６は、大項目「集約」に属するすべての小項目「ＯＦＦ」、「２in１」、「４in１」、「１６in１」を表示している。
【００９４】
図１５は、変更項目の設定確認画面の一例を示す図である。図１５に示すように、小項目が選択されると、表示制御部９０６は、選択された内容で設定変更する旨の確認画面を表示することも可能である。
【００９５】
図１５では、変更対象として、送信先「／ＺＺＺ／」が選択されている。送信先は、依存関係規則１１２に依存項目として登録されているので、表示制御部９０６は、さらに、依存先項目についての確認画面も表示している。
【００９６】
判断部１０５は、選択された小項目が依存項目であるか否かを判断する（ステップＳ１３０６）。具体的には、依存関係規則１１２を参照して、選択を受け付けた項目が依存項目として登録されているか否かを検索する。
【００９７】
選択された小項目が依存項目であると判断された場合には（ステップＳ１３０６：Ｙｅｓ）、表示制御部９０６は、依存関係規則１１２から、依存先項目を取得する（ステップＳ１３０７）。
【００９８】
表示制御部９０６は、取得した依存先項目を再出力条件とともに操作表示部２０の一画面上に一括表示する（ステップＳ１３０８）。
【００９９】
条件設定部１０２は、表示された依存先項目と再出力条件を出力条件として設定し（ステップＳ１３０９）、画像出力部１０３は、設定された出力条件で文書データを出力し（ステップＳ１３１０）、すべての処理を終了する。
【０１００】
ステップＳ１３０６に戻り、選択された小項目が依存項目でないと判断された場合には（ステップＳ１３０６：Ｎｏ）、依存先項目を表示および設定する処理を行わず、選択された小項目を反映した再出力条件で文書データを出力し（ステップＳ１３１０）、すべての処理を終了する。
【０１０１】
このように、本実施の形態によれば、共通項目と個別項目を別個に表示するため、設定されている出力条件の識別をより一層容易とし、設定ミスを防止することができる。
【０１０２】
また、このように、本実施の形態によれば、変更対象となる項目に属する小項目を選択可能な形式で一覧表示するため、設定された出力条件の変更、解除の操作を容易に行うことができる。
【０１０３】
（第３の実施の形態）
図１６は、第３の実施の形態にかかる画像処理装置１６００の構成を示すブロック図である。本図に示すように画像処理装置１６００は、入力制御部１０１と、条件設定部１０２と、画像出力部１０３と、項目抽出部１０４と、プレビュー画面生成部１６０５と、表示制御部１６０６と、登録部１０７と、ＨＤＤ１６１０とを主に備え、操作表示部２０と接続されている。
【０１０４】
第１の実施の形態にかかる画像処理装置１００では、表示制御部１０６は、複数の出力機能それぞれに対応付けられた再出力条件すべてを、単にそれぞれの出力機能に対応付けて表示していた。
【０１０５】
これに対し、本実施の形態では、プレビュー画面生成部１６０５が、ＨＤＤ１６１０に保存されている再出力条件からプレビュー画面を生成するとともに、表示制御部１６１０は、生成されたプレビュー画面を操作表示部２０に表示する。
【０１０６】
なお、プレビュー画面生成部１６０５と、表示制御部１６０６と、ＨＤＤ１６１０以外の各部の構成および機能は第１の実施の形態にかかる画像処理装置１００と同様であるので、説明を省略する。
【０１０７】
プレビュー画面生成部１６０５は、出力条件を設定するための画面であって、出力条件が未設定の状態の画面である基本設定画面に、再出力条件に含まれる項目を反映した画面を縮小してプレビュー画面を生成する。
【０１０８】
図１７は、基本設定画面の一例を示す図である。図１７に示すように、基本設定画面には、用紙サイズ、カラー、集約等、種々の出力条件の設定項目が未設定の状態で表示されている。
【０１０９】
また、図１８は、プレビュー画面の一例を示す図である。図１８に示すように、基本設定画面上に、現在設定されている出力条件が反映されたプレビュー画面が出力機能ごとに表示されている。
【０１１０】
表示制御部１６０６は、プレビュー画面生成部１６０５により生成されたプレビュー画面を操作表示部２０に表示する。
【０１１１】
ＨＤＤ１６１０は、第１の実施の形態で保存されている出力条件１１１と依存関係規則１１２に加えて、プレビュー画面生成部１６０５により生成されたプレビュー画面をも保存する。
【０１１２】
次に、プレビュー画面を生成する処理について説明する。図１９は、プレビュー画面生成処理の手順を示すフローチャートである。
【０１１３】
表示制御部１６０６は、ＨＤＤ１６１０に保存されている文書データを操作表示部２０に表示し、入力制御部１０１は、操作表示部２０から、ユーザによる、出力対象となる文書データの選択を受け付ける（ステップＳ１７０１）。
【０１１４】
表示制御部１６０６は、選択された文書データに対応付けられている再出力条件を操作表示部２０に表示する（ステップＳ１７０２）。
【０１１５】
入力制御部１０１は、ユーザによるプレビュー画面表示指示を受け付け、（ステップＳ１７０３）プレビュー画面生成部１６０５は、基本設定画面をメモリ上に作成する（ステップＳ１７０４）。
【０１１６】
項目抽出部１０４は、選択された文書データに対応付けられている再出力条件から項目を抽出する（ステップＳ１７０５）。
【０１１７】
プレビュー画面生成部１６０５は、抽出された項目を作成した基本設定画面に反映して、プレビュー画面を生成する（ステップＳ１７０６）。生成されたプレビュー画面は、メモリ上に保持される。
【０１１８】
表示制御部１６０６は、生成されたプレビュー画面を操作表示部２０の一画面上に一括表示する（ステップＳ１７０７）。なお、プレビュー画面が複数画面にわたる場合には、ボタン反転や、文言変更等により複数画面を順次表示する。
【０１１９】
条件設定部１０２は、プレビュー画面に反映されている出力条件を設定する（ステップＳ１７０８）。なお、出力機能が複数ある場合は、入力制御部１０１によりプレビュー画面の選択を受け付け、受け付けたプレビュー画面に反映されている出力条件を設定する。
【０１２０】
画像出力部１０３は、設定された出力条件で選択された文書データを出力し（ステップＳ１７０９）、すべての処理を終了する。
【０１２１】
このように、本実施の形態によれば、再出力条件に含まれる項目を、基本設定画面に反映してプレビュー画面を生成するため、実際の設定状況をユーザが一目で確認することができる。
【０１２２】
また、このように、実際の設定状況がユーザに一目瞭然となることから、設定ミスによる出力ミスや、誤送信を防止することができる。
【０１２３】
図２０は、第１〜３の実施の形態にかかる複合機のハードウェア構成を示すブロック図である。本図に示すように、この複合機１００、９００、１６００は、コントローラ１０とエンジン部（Ｅｎｇｉｎｅ）６０とをＰＣＩ（Ｐｅｒｉｐｈｅｒａｌ  Ｃｏｍｐｏｎｅｎｔ  Ｉｎｔｅｒｆａｃｅ）バスで接続した構成となる。コントローラ１０は、複合機１００、９００、１６００全体の制御と描画、通信、図示しない操作部からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０には、プロッタなどのいわゆるエンジン部分に加えて、誤差拡散やガンマ変換などの画像処理部分が含まれる。
【０１２４】
コントローラ１０は、ＣＰＵ１１と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１６と、ハードディスクドライブ（ＨＤＤ）１１０、９１０、１６１０とを有し、ノースブリッジ（ＮＢ）１３とＡＳＩＣ１６との間をＡＧＰ（Ａｃｃｅｌｅｒａｔｅｄ  Ｇｒａｐｈｉｃｓ  Ｐｏｒｔ）バス１５で接続した構成となる。また、ＭＥＭ−Ｐ１２は、ＲＯＭ（Ｒｅａｄ  Ｏｎｌｙ  Ｍｅｍｏｒｙ）１２ａと、ＲＡＭ（Ｒａｎｄｏｍ  Ａｃｃｅｓｓ  Ｍｅｍｏｒｙ)１２ｂと、をさらに有する。
【０１２５】
ＣＰＵ１１は、複合機１００、９００、１６００の全体制御をおこなうものであり、ＮＢ１３、ＭＥＭ−Ｐ１２およびＳＢ１４からなるチップセットを有し、このチップセットを介して他の機器と接続される。
【０１２６】
ＮＢ１３は、ＣＰＵ１１とＭＥＭ−Ｐ１２、ＳＢ１４、ＡＧＰ１５とを接続するためのブリッジであり、ＭＥＭ−Ｐ１２に対する読み書きなどを制御するメモリコントローラと、ＰＣＩマスタおよびＡＧＰターゲットとを有する。
【０１２７】
ＭＥＭ−Ｐ１２は、プログラムやデータの格納用メモリ、プログラムやデータの展開用メモリ、プリンタの描画用メモリなどとして用いるシステムメモリであり、ＲＯＭ１２ａとＲＡＭ１２ｂとからなる。ＲＯＭ１２ａは、プログラムやデータの格納用メモリとして用いる読み出し専用のメモリであり、ＲＡＭ１２ｂは、プログラムやデータの展開用メモリ、プリンタの描画用メモリなどとして用いる書き込みおよび読み出し可能なメモリである。
【０１２８】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインターフェース（Ｉ／Ｆ）部なども接続される。
【０１２９】
ＡＳＩＣ１６は、画像処理用のハードウェア要素を有する画像処理用途向けのＩＣ（Ｉｎｔｅｇｒａｔｅｄ  Ｃｉｒｃｕｉｔ）であり、ＡＧＰ１５、ＰＣＩバス、ＨＤＤ１１０、９１０、１６１０およびＭＥＭ−Ｃ１７をそれぞれ接続するブリッジの役割を有する。このＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより画像データの回転などをおこなう複数のＤＭＡＣ（Ｄｉｒｅｃｔ  Ｍｅｍｏｒｙ  Ａｃｃｅｓｓ  Ｃｏｎｔｒｏｌｌｅｒ）と、エンジン部６０との間でＰＣＩバスを介したデータ転送をおこなうＰＣＩユニットとからなる。このＡＳＩＣ１６には、ＰＣＩバスを介してＦＣＵ（Ｆａｃｓｉｍｉｌｅ  Ｃｏｎｔｒｏｌ  Ｕｎｉｔ）３０、ＵＳＢ（Ｕｎｉｖｅｒｓａｌ  Ｓｅｒｉａｌ  Ｂｕｓ）４０、ＩＥＥＥ１３９４（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  １３９４）インターフェース５０が接続される。操作表示部２０はＡＳＩＣ１６に直接接続されている。
【０１３０】
ＭＥＭ−Ｃ１７は、コピー用画像バッファ、符号バッファとして用いるローカルメモリであり、ＨＤＤ（Ｈａｒｄ  Ｄｉｓｋ  Ｄｒｉｖｅ）１８は、画像データの蓄積、プログラムの蓄積、フォントデータの蓄積、フォームの蓄積を行うためのストレージである。
【０１３１】
ＡＧＰ１５は、グラフィック処理を高速化するために提案されたグラフィックスアクセラレーターカード用のバスインターフェースであり、ＭＥＭ−Ｐ１２に高スループットで直接アクセスすることにより、グラフィックスアクセラレーターカードを高速にするものである。
【０１３２】
なお、本実施の形態の画像処理装置１００、９００、１６００で実行される画像処理プログラムは、ＲＯＭ等に予め組み込まれて提供される。
【０１３３】
本実施の形態の画像処理装置１００、９００、１６００で実行される画像処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１３４】
さらに、本実施の形態の画像処理装置１００、９００、１６００で実行される画像処理プログラムを、インターネット等のネットワークに接続されたコンピュータ上に格納し、ネットワーク経由でダウンロードさせることにより提供するように構成しても良い。また、本実施の形態の画像処理装置１００、９００、１６００で実行される画像処理プログラムをインターネット等のネットワーク経由で提供または配布するように構成しても良い。
【０１３５】
本実施の形態の画像処理装置１００、９００、１６００で実行される画像処理プログラムは、上述した各部（入力制御部１０１と、条件設定部１０２と、画像出力部１０３と、項目抽出部１０４と、判断部１０５と、表示制御部１０６と、登録部１０７）を含むモジュール構成となっており、実際のハードウェアとしてはＣＰＵ（プロセッサ）が上記ＲＯＭから画像処理プログラムを読み出して実行することにより上記各部が主記憶装置上にロードされ、入力制御部１０１と、条件設定部１０２と、画像出力部１０３と、項目抽出部１０４と、判断部１０５と、表示制御部１０６と、登録部１０７が主記憶装置上に生成されるようになっている。
【符号の説明】
【０１３６】
２０  操作表示部
１００、９００、１６００  画像処理装置
１０１  入力制御部
１０２  条件設定部
１０３  画像出力部
１０４  項目抽出部
１０５  判断部
１０６、９０６、１６０６  表示制御部
１０７  登録部
１１０  、９１０、１６１０  ＨＤＤ
１１１  出力条件
１１２  依存関係規則
９１３  項目情報
１６０５  プレビュー画面生成部
【先行技術文献】
【特許文献】
【０１３７】
【特許文献１】特許第３８４１６４５号
【図１】
2010220124.tif 000003
【図２】
2010220124.tif 000004
【図３】
2010220124.tif 000005
【図４】
2010220124.tif 000006
【図５】
2010220124.tif 000007
【図６】
2010220124.tif 000008
【図７−１】
2010220124.tif 000009
【図７−２】
2010220124.tif 000010
【図７−３】
2010220124.tif 000011
【図８】
2010220124.tif 000012
【図９】
2010220124.tif 000013
【図１０】
2010220124.tif 000014
【図１１】
2010220124.tif 000015
【図１２】
2010220124.tif 000016
【図１３】
2010220124.tif 000017
【図１４】
2010220124.tif 000018
【図１５】
2010220124.tif 000019
【図１６】
2010220124.tif 000020
【図１７】
2010220124.tif 000021
【図１８】
2010220124.tif 000022
【図１９】
2010220124.tif 000023
【図２０】
2010220124.tif 000024